(57)【要約】【課題】引手の機能を有すると共に、戸先が戸枠にぶつからない場合に、戸枠の縦框に係合片を有するロック具を固定し、一方、戸先に受け具を取り付けて、引戸錠として利用できることができること。【解決手段】一側面に戸枠に取り付けたロック具の係合片と係脱可能なロック機能面並びに引手機能面を有する内側凹所を設けたことを特徴とする引戸用受け具。【選択図】図１
2008127860.tif 000002
【特許請求の範囲】
【請求項１】
一側面に戸枠に取り付けたロック具の係合片と係脱可能なロック機能面並びに引手機能面を有する内側凹所を設けたことを特徴とする引戸用受け具。
【請求項２】
請求項１に於いて、受け具は、引戸の戸先に取り付けられ、閉戸時、内側凹所とロック具の係合片が対向し、施錠状態にする場合には、ロック具側の操作片或いは操作部分を操作すると、係合片の突出外端部が内側凹所内に入り込むことを特徴とする引戸用受け具。
【請求項３】
請求項１又は請求項２に於いて、内側凹所に、該内側凹所を区分けする仕切り片を設け、閉戸時、ロック具の係合片と対向する第１凹所は、係合片を受止める係止用として使用され、一方、他方の露呈する第２凹所は引手用として使用されることを特徴とする引戸用受け具。
【請求項４】
請求項１に於いて、受け具は、内側凹所を有する内側枠片と、外側凹所を有する外側枠片に二分割されており、また、内側と外側の枠片を合体させる際、内側枠片の側壁と、これに重合する外側枠片の側壁にそれぞれ設けた複数個の幅調整部に差込みないし螺合する固着具を介して幅調整可能であることを特徴とする引戸用受け具。
【請求項５】
請求項４に於いて、幅調整部は、内外側枠片の正面壁と交差する一側壁の上下部位にそれぞれ設けられた螺合部であり、一方、前記螺合部の端面に重なり合うように外側枠片の端板部分に設けられた水平長孔であることを特徴とする引戸用受け具。
【発明の詳細な説明】
【技術分野】
【０００１】
本発明は、引戸用受け具に関する。
【背景技術】
【０００２】
特許文献１乃至特許文献３には、鎌片のストライク、ラッチ受け具、受け金具等と称される建具用の受け具が記載されている。これらの特許文献に記載の受け具を含め、普通一般にラッチやデッドが係入する受け具は、（ａ）固定側の戸枠に取り付けられること、（ｂ）ボックス状凹所を有するトロヨケと、このトロヨケの前面に固定されると共に、矩形窓部を有するストライクとから成り、前記トロヨケ内には、考案や発明の目的に応じて、掛合部材、付勢部材、ラッチが係合する可動板等が内設されていること、（ｃ）ストライクの窓部に扉、引戸等の開閉体の戸先が対向すると、ラッチやデッドが係入する、或いは係合可能な状態となることである。
【０００３】
付言すると、戸枠に固定される受け具は、ラッチやデッドと係合する機能を有しているものの、「引手の機能」を有していない。
【０００４】
一方、特許文献４には、引戸の厚さが薄い場合にも、良好な開閉操作性を得る引手が記載されている。この引戸用引手は、枠体状の内外の引手本体を備えており、これらの引手本体内にヒンジ部回りに回転可能な底板が介在されている。内外で一組の引手本体には、引戸本体の厚さ方向を長手方向とするガイド溝が形成されており、これらのガイド溝に底板が移動可能に挿入されている。
【０００５】
従って、指で板材の他方の側縁側を押せば、引戸本体の厚さ程度の指掛かりが容易に形成される。
【０００６】
この特許文献４を含め、従来の引戸用引手は、その操作性を考慮して色々な改良がなされているものの、戸先側に内外一対取り付けられている（引き違い引戸の場合には左右の戸先側にそれぞれ左右一対取り付けられている）。付言すると、従来の引手は、引戸を開閉するための手掛け機能（凹所の手掛け用内壁面）を有しているものの、「ロック具の係合片に対する係合する機能（受け具としての用途）」を有していない。
【０００７】
さらに、特許文献５の図４、図５等には、底面に開口を有する引手本体に鎌ラッチの基端部を、枢軸を介して取り付ける事項が記載されているが、特許文献５に記載の引手は、可動体としての引手そのものに施錠片としての鎌ラッチを備えるものであり、引手本体に受け具の機能を持たせるものではない。
【特許文献１】実公平３−３０５２８号公報
【特許文献２】特開２０００−２０２５号公報
【特許文献３】特開２００５−３４４３４２号公報
【特許文献４】特許公開２０００−４５５８１号公報
【特許文献５】特開平９−３２３８０号公報
【発明の開示】
【発明が解決しようとする課題】
【０００８】
本発明の特許文献１乃至特許文献５を背景技術として、全く新しい発想に基づく引戸用受け具を提案するものである。具体的には、いわば逆転の発想により、固定部材としての戸枠にロック具を取り付けると共に、該ロック具の方に鎌片的な機能を持たせ、一方、可動体としての引戸の戸先に受け具を取り付けることにより、上げ下げ型シャッターや吊り下げ型ランナー方式の引戸錠として利用することができる引戸用受け具を提案することを目的とする。
【０００９】
望ましくは、引戸の戸先が戸枠の外壁面に対向状態となる（例えば戸先が戸枠にぶつからない）場合に、戸枠に係合片を有するロック具を固定し、一方、戸先に受け具を取り付けて、引手及び受け具の両機能を有する引手兼引戸錠として利用できることを目的とする。
【００１０】
本発明の第２の目的は、一つの受け具の内外に手掛け用の凹所をそれぞれ形成することにより、引戸を内側及び外側からそれぞれ引くことができるようにすることである。本発明の第３の目的は、引戸の幅に対応して、受け具の幅を調整することができることである。
【課題を解決するための手段】
【００１１】
本発明の引戸用受け具は、一側面に戸枠に取り付けたロック具の係合片と係脱可能なロック機能面並びに引手機能面を有する内側凹所を設けたことを特徴とする。
【００１２】
上記構成に於いて、受け具は、引戸の戸先に取り付けられ、閉戸時、受け具の内側凹所とロック具の係合片が対向し、施錠状態にする場合には、ロック具側の操作片或いは操作部分を操作すると、係合片の突出外端部が内側凹所内に入り込むことを特徴とする。また、前記内側凹所に、該内側凹所を複数に区分けする仕切り片を設け、閉戸時、ロック具の係合片と対向する第１凹所は、係合片を受止める係止用として使用され、一方、他方の露呈する第２凹所は引手用として使用されることを特徴とする。その他の特徴は従属項によって特定される。
【発明の効果】
【００１３】
（１）図８で示すように、引戸を開閉する際に利用される「引手の機能」と、引戸の閉戸位置での「ロック具の係合片に対する受け機能」の両方を有する。
（２）一つの受け具の内外に手掛け用の凹所をそれぞれ形成することにより、引戸の内側及び外側からそれぞれ引くことができる。
（３）引戸の幅に対応して、受け具の幅を調整することができる。
【発明を実施するための最良の形態】
【００１４】
以下、図１乃至図１１は、本発明の引戸用受け具の一例を示す。
【００１５】
（１）受け具の特徴部分
引戸用受け具１の特徴部分は、一側面２ａに戸枠に取り付けたロック具２１の係合片２２と係脱可能なロック機能面並びに引手機能面を有する内側凹所３を設けたことである。受け具１は、図８で示すように引戸３２の戸先に取り付けられ、閉戸時、受け具１の内側凹所３とロック具２１の係合片２２が対向し、施錠状態にする場合には、ロック具側の操作片或いは操作部分２３を操作すると、係合片２２の突出外端部２２ａが内側凹所３内に入り込む。そして、望ましくは、他側面４ａに引手機能を有する外側凹所５を設けている。
【００１６】
（２）受け具の具体的構成
図１は金属製受け具１の斜視図である。この図１で示す受け具１は、内側凹所３を有する内側枠片２と、外側凹所５を有する外側枠片４とを合体した状態を示している。図２は図１を基準にした左側面図である。図２と図７を対比すると明らかなように、受け具１の幅Ｗは、内側枠片２の一側壁２ｂと、これに重合する外側枠片４の側壁４ｂにそれぞれ設けた複数個の幅調整部６に差込みないし螺合する固着具７を介して幅調整可能である。幅調整部６は、例えば受け具１の一側壁の上下端部と中央部に合計３個設けられている。
【００１７】
幅調整部６の一例について説明すると、幅調整部６は、内側枠片２の正面壁２ａと交差する一側壁２ｂの上下部位及び中央部にそれぞれ設けられた螺合部（例えばメネジを有する部分）６ａであり、一方、前記螺合部６ａの端面に重なり合うように外側枠片４の正面壁４ａと交差する端板部分４ｂに設けられた水平長孔６ｂである。なお、図２及び図７では、説明の便宜上、固着具７は、中央部の幅調整部６にのみ螺合させてある。
【００１８】
（３）内側枠片２
図１乃至図４を参照にして、内側枠片２の構成を説明する。図１では、内側枠片２は手前側に位置している。したがって、内側枠片２の四角いフランジ形状の正面壁２ａに形成された内側凹所３が見える。それ故に、外側枠片４は向こう側に位置している。
【００１９】
図２では、外側枠片４の端板部分４ｂが手前側に位置していることから、内側枠片２の螺合部６ａを有する一側壁２ｂは端板部分４ｂの内壁面に重なるように隠れている。そして、螺合部（例えばメネジ）６ａは、水平長孔６ｂから見えている。
【００２０】
図３は内側枠片２の分解斜視図である。本実施例では、内側枠片２の内側凹所３に、該内側凹所３を複数に区分けする仕切り片８を螺着自在に設け、閉戸時、ロック具２１の係合片２２と対向する第１凹所３ａは、係合片２２を受止める係止用として使用され、一方、他方の露呈する第２凹所３ｂは引手用として使用される。
【００２１】
付言すると、図１、図３、図４で示すように、内側枠片２の下壁２ｃと上壁２ｄの略中央部に対向する貫通小孔９をそれぞれ形成し、これらの貫通小孔９に対して上下端部の螺合部８ａ、８ａが位置付けられ、かつ、前記貫通小孔９を貫通すると共に前記螺合部８ａ、８ａに螺合する複数個の固着具１０を介して柱状仕切り片８が内設されている。これにより、内側凹所３は左右の凹所３ａ、３ｂに二分されている。
【００２２】
図１を基準にすると、左側が閉戸時にロック具の係合片と対向する第１凹所３ａであり、一方、右側が閉戸時並びに開戸時に使用される第２凹所３ｂである。したがって、第１凹所３ａを形成する垂直の内壁面１１は、係合片２２のフラット形状、鉤形状等の突出先端部２２ａを受止める係止用として使用される。
【００２３】
一方、内壁面１１に対向する第２凹所３ｂの内壁面１２は、引戸３２を開ける際に手を掛けるための引手用として利用される。そして、閉戸時に引戸３２を所定の閉鎖位置まで閉めていない場合には、前記仕切り片８は引戸を押し込むために利用される。
【００２４】
ところで、図１で示すように内側枠片２の上壁２ｄには、後端から正面壁に向かって切欠１３が形成され、この切欠１３内に外側枠片４の外側凹所５を形成するケース部分の上壁部分が遊嵌合する。また、図４で示すように、上下方向に所定間隔を有して一側壁２ｂに一体成形された複数個の螺合部６ａは、一側壁２ｂ或いは内側凹所３を形成する底壁２ｅからそれぞれ水平状態に突出している。なお、符号２ｆは、引戸の戸先に形成した切欠面に当接する他側面である。
【００２５】
（４）外側枠片４
図５は外側枠片４の斜視図で、この図５は、図１で示した受け具１の合体状態に於いて、内側枠体２を外して外側枠片４の裏側（嵌合する箇所や重なり合う箇所）を示している。したがって、図６は、受け具１の裏側に相当する外側枠片４の正面壁（受け具１の背面壁）４ａと、端板部分４ｂの外面が見える斜視図である。
【００２６】
まず、図６を参照にして外側枠片４の構成を説明する。４ａは外側枠片の正面壁で、この正面壁４ａの一端部寄りの部位（図面上左側寄り部位）には、縦方向に外側凹所５が形成されている。４ｂは正面壁４ａと直交する端板部分で、この端板部分４ｂには、本実施例では幅調整部６を構成する水平長孔６ｂが合計３個形成されている。水平長孔６ｂは、少なくとも端板部分４ｂの上下端部にそれぞれ形成される。
【００２７】
次に、図５を参照にして、外側枠片４の構成を説明する。外側枠片４の正面壁４ａの裏面半分には、外側凹所５を形成するケース状の壁部分１５が縦長状に突出している。また、ケース状壁部分１５の垂直内壁と端板部分４ｂの内壁面との間には、内側枠片２の螺合部６ａが遊嵌合状態に入り込む空間部分１６が設定されている。図７で示すように、受け具１は、幅調整部６及び空間部分１６を利用して幅調整可能である。
【００２８】
（５）受け具を利用した引戸錠の一例
本発明の受け具の目的は、戸枠３１の縦枠３１ａや下枠にロック具２１を取り付けると共に、該ロック具２１の方に鎌片的な機能を持たせ、一方、引戸３２の方に受け具１を取り付けることにより、上げ下げ型シャッター方式や吊り下げ型ランナー方式の引戸錠Ｘとして利用することができることである。
【００２９】
そこで、図８乃至図１１を参照にして、受け具１を利用した引戸錠Ｘの一例を説明する。これらの図に於いて、３１は戸枠、３２は吊り下げ型ランナー方式の引戸、２１は戸枠３１の端面或いは縦枠３１ａの形成した切欠部分３３に嵌め込まれたロック具である。一方、受け具１は戸先に切欠部分３４を介して取り付けられている。
【００３０】
付言すると、受け具１は、戸先が戸枠３１の外壁面（図面上、向こう側の壁面）に対向状態となる（例えば戸先が戸枠３１にぶつからない）引戸３２に切欠部分３４を介して嵌め込まれている。そして、受け具１の凹所３は、戸枠３１の内壁面（図面上、手前側）の方に見える。
【００３１】
したがって、本発明の受け具１を利用した引戸錠Ｘは、引戸３２に内側凹所３を有する受け具１を取り付け、一方、戸枠３１に係合片２１を有するロック具２１を取り付けたことにより、錠前としての機能を発揮する。
【００３２】
（６）引戸錠Ｘを施錠状態にする場合
まず、図８は、引戸３２の閉戸時、受け具１の凹所３とロック具２１の係合片２２が対向し、かつ、操作片２３を指で操作（例えば回転、水平方向に移動）した結果、施錠状態となった場合を示す。ロック具２１の内部構成は、本発明の特定要件でないことから、詳細な説明は割愛するが、例えばロック具２１の取り付け基体２４の中央部開口内に位置するサムターン式の操作片２３を回転操作すると、係合片２２の一例としての係合スライダーが、取り付基体２４の図示しないレール部に案内されて該取り付基体２の一端面２４ａから突出する。その突出先端部２２ａが、引戸３２の受け具１の凹所３に入り込むと施錠状態となる。
【００３３】
図９乃至図１１は、引戸３２を施錠状態にする場合の手順を示したものである。まず、図９はロック具２１が解錠状態に於いて、引戸３２を閉めようとしている中途状態を示す。ロック具２１が解錠状態の場合には、操作片２３は、垂直状態である。また、係合片２２の突出先端部２２ａは、取り付け基体の内部に位置している。
【００３４】
次に、図１０は引戸３２を閉めた結果、引戸３２の戸先が戸枠３１の縦枠３１ａの内壁面に対向するように位置した状態である。この時、引戸３２を閉めた者は、受け具１の第１凹所３ａをロック具２１の係合片２２に対向させる必要がある。もし、引戸３２が所望の閉鎖位置に停止していないときは、受け具１の仕切り片８を手で押し込むようにする。      
【００３５】
図１０で示すように受け具１の第１凹所３ａとロック具２１の係合片２２が対向した場合には、操作片２３を摘み、例えば時計方向へ回転する。そうすると、施錠状態となる。
【００３６】
図１１は施錠状態を示す。施錠状態のときは、係合片２２の突出外端部２２ａが受け具１の第１凹所３ａ内に入り込む。したがって、引戸３２を受け具１の露呈する第２凹所３ｂを利用して自由に開くことができない。
【００３７】
（７）引戸錠Ｘを解錠状態にする場合
ロック具２１の操作片２３を逆方向へと所定量回転操作すると、係合片２２は同様に取り付基体２４のレール部に案内されて、取り付基体２４の内部へと戻る。なお、詳細な図面は割愛するが、その手順は、引戸錠Ｘを施錠状態にする場合とは逆の態様となる。
【実施例】
【００３８】
発明の実施の形態で示した実施例に於いて、特に図示しないが、ロック具２１の係合片２２の突出態様は、ロック具２１の内部構成によって異なる。例えば係合片２２と操作片２３とが一体に構成されている場合には、指で操作片２３をそのまま押し出すと、当然、係合片２２は水平方向にスライドして、その突出外端部２２ａは受け具１の第１凹所３ａ内に入り込む。
【００３９】
また、係合片２２と操作片２３とが別体の場合には、動力伝達手段（例えば操作片２３の内端軸部にピニオンを設け、係合片２２にピニオンに噛合するラックを設ける構成、ピニオンと係合片２２の枢支基端に形成した伝動ギヤ部の噛合構成等）を加味し、操作片２３の操作力で係合片２２を突出させる。後者の場合、係合片２２をスライド方式又は回転方式で突出させ得る。
【００４０】
さらに、ロック具は、収納部分を有する取り付け基体と、解錠状態の時には収納部分に位置するように第１支軸を介して軸支され、かつ、付勢手段により常時ロック方向に付勢されロック板と、同じく解錠状態の時にはロック板を押さえ付けた状態で前記収納部分に位置するように第２支軸を介して軸支された係合板とから成り、施錠状態にする場合には、前記係合板を指先で所定位置まで回転変位させると、前記ロック板が前記付勢手段のバネ力により収納部分の外方向へと所定位置まで回転してその自由端部で係合板の動き規制するようにしても良い。
【００４１】
なお、内側凹所１１のロック機能面（内壁面）１１や引手機能面（内壁面）１２は、本実施例では、垂直面であるが、円弧状、波状、連続する凹凸形状等であっても良い。
【産業上の利用可能性】
【００４２】
本発明は、主に錠前や建具の業界で利用される。
【図面の簡単な説明】
【００４３】
図１乃至図１１は本発明の最良の実施例を示す各説明図。
【図１】受け具の斜視図。
【図２】受け具の左側面図。
【図３】受け具の内側枠片の分解斜視図。
【図４】図３の４―４線拡大断面説明図。
【図５】受け具の外側枠片の分解斜視図（その背面側が見える）。
【図６】受け具の外側枠片の分解斜視図（その正面側が見える）。
【図７】受け具の左側面図を利用した幅調整の説明図。
【図８】引戸の閉鎖時、受け具の凹所とロック具の係合片が対向し、かつ、施錠状態となった場合を示す説明図。
【図９】ロック具が解錠状態に於いて、引戸を閉めようとしている中途状態を示す説明図。
【図１０】引戸を閉め状態を示す説明図。
【図１１】施錠状態を示す説明図。
【符号の説明】
【００４４】
Ｘ…引戸錠、1…受け具、２…内側枠片、２ａ…内側枠片の正面壁、２ｂ…一側壁、３…内側凹所、３ａ…第１凹所、３ｂ…第２凹所、４…外側枠片、４ａ…外側枠片の正面壁、４ｂ…端板部分、５…外側凹所、６…幅調整部、６ａ…螺合部、６ｂ…水平長孔、７…固着具、８…仕切り片、８ａ…螺合部、９…貫通小孔、１０…仕切り片用固着具、１１、１２…内壁面、１３…切欠、１５…ケース状の壁部分、１６…空間部分、２１…ロック具、２２…係合片、２２ａ…突出先端部、２３…操作片、２４…取り付け基体、２４ａ…一端面、３1…戸枠、３２…引戸、３３、３４…切欠部分。
【図１】
2008127860.tif 000003
【図２】
2008127860.tif 000004
【図３】
2008127860.tif 000005
【図４】
2008127860.tif 000006
【図５】
2008127860.tif 000007
【図６】
2008127860.tif 000008
【図７】
2008127860.tif 000009
【図８】
2008127860.tif 000010
【図９】
2008127860.tif 000011
【図１０】
2008127860.tif 000012
【図１１】
2008127860.tif 000013